(57)【要約】【課題】筐体の小型化と外部との接続端子部の簡略化を実現する。【解決手段】スピーカー付アンプ１はジャック１１を有し、オーディオ機器２からの信号を入力するための第１のプラグ２１とマイクロフォン３からの信号を入力しかつマイクロフォン３へ電池７１より電源を供給するための第２のプラグ３１のいずれかが差し込まれる。ジャック１１の第１端子１Ｌは増幅器７に、第２端子１Ｒは電池７１の負極側に、第３端子１Ｅは正極側に、それぞれ接続される。制御回路８は第２、第３の端子１Ｒ，１Ｅ間に設けられ、ジャック１１に第２のプラグ３１が差し込まれたとき第２、第３の端子１Ｒ，１Ｅ間にマイクロフォン３へ供給する電圧を生じさせ、ジャック１１に第１のプラグ２１が差し込まれたとき第２、第３の端子１Ｒ，１Ｅ間を短絡する。【選択図】図２
2020017785.tif 000002
【特許請求の範囲】
【請求項１】
オーディオ機器とマイクロフォンのいずれか一方からの信号を入力して増幅する増幅器と、前記増幅器の作動に必要な電源を供給する電池と、前記増幅器による増幅出力を音に変換して出力するスピーカと、前記オーディオ機器からの信号を入力するための第１のプラグと前記マイクロフォンからの信号を入力しかつ前記マイクロフォンへ前記電池より電源を供給するための第２のプラグのいずれかが差し込まれるジャックとを備え、
前記ジャックは、前記増幅器に接続される第１端子、前記電池の負極側に接続される第２端子、および前記電池の正極側に接続される第３端子を有し、前記第２端子と第３端子との間に制御回路が設けられており、
前記制御回路は、前記ジャックに前記第２のプラグが差し込まれたとき第２端子と第３端子との間に前記マイクロフォンへ供給する電圧を生じさせる電源供給回路と、前記ジャックに前記第１のプラグが差し込まれたとき第２端子と第３端子との間を短絡する短絡回路とを含むスピーカー付きアンプ。
【請求項２】
前記オーディオ機器は、スマートホンである請求項１に記載のスピーカー付きアンプ。
【請求項３】
前記ジャックは、３極プラグと４極プラグを差し込むことが可能な構成のものである請求項１に記載のスピーカー付きアンプ。
【請求項４】
前記増幅器により増幅された信号をイヤホンへ出力するための第３のプラグとヘッドホンへ出力するための第４のプラグのいずれかが差し込まれる第２のジャックをさらに有する請求項１〜３のいずれかに記載のスピーカー付きアンプ。
【請求項５】
前記第２のジャックは、２極プラグと３極プラグと４極プラグを差し込むことが可能な構成のものである請求項４に記載のスピーカー付きアンプ。
【発明の詳細な説明】
【技術分野】
【０００１】
この発明は、スピーカーが一体に組み込まれたスピーカー付きアンプに関するもので、この発明は特に、マイクロフォンとスマートホンなどのオーディオ機器を接続することが可能なスピーカー付きアンプに関する。
【背景技術】
【０００２】
出願人は以前、１台で複数の用途に使用できるスピーカー付きアンプ１００を提案した（例えば、特許文献１参照）。図５に示すスピーカー付きアンプ１００は、箱形の筐体１０１の片面にスピーカー１０２が設けられ、ひとつの端面に３個のジャック１０３，１０４，１０５が設けられている。第１のジャック１０３にはスマートホンなどのオーディオ機器が、第２のジャック１０４にはマイクロフォンが、それぞれ接続可能である。第３のジャック１０５にはへッドホンやイヤホンが接続可能である。
【０００３】
図５において、１１１，１１２はケーブル１１０の両端に装着されたプラグであり、一方のプラグ１１２はオーディオ機器が有するジャックに、他方のプラグ１１１はスピーカー付きアンプ１００の第１のジャック１０３に、それぞれ差し込まれる。１１４はマイクロフォンより引き出されたケーブル１１３の先端に装着されたプラグであり、プラグ１１４はスピーカー付きアンプ１００の第２のジャック１０４に差し込まれる。
【０００４】
オーディオ機器には、スマートホンの他に、スピーカーを内蔵していないイヤホン専用のデジタルオーディオプレーヤーが含まれる。この種のオーディオ機器を第１のジャック１０３に接続すると、オーディオ信号がスピーカー付きアンプ１００に取り込まれて増幅され、スピーカー１０２において音に変換されて外部へ出力される。
第２のジャック１０４にマイクロフォンにつながるプラグ１１４を差し込むと、マイクロフォンで集められた音をイヤホンで聞き取ることが可能であり、補聴器として使用することができる。図中、１１５はイヤホンまたはヘッドホンにつながるプラグである。
【先行技術文献】
【特許文献】
【０００５】
【特許文献１】特許第６０４９３５９号公報
【発明の概要】
【発明が解決しようとする課題】
【０００６】
上記したスピーカー付きアンプ１００は、オーディオ機器を接続するための第１のジャック１０３と、マイクロフォンを接続するための第２のジャック１０４とが必要であるため、筐体１０１を小型化したり、外部との接続端子部を簡略化したりすることの障害となる。また、マイクロフォンを必要としないユーザーには第２のジャック１０４は無用であり、一方、オーディオ機器を使用しないユーザーには第１のジャック１０３は無用であり、２個のジャック１０３，１０４の存在はプラグの差し違えを招く要因となる。
【０００７】
ところで、近年、多種類のスマートホンが製品化されている。スマートホンには音楽などを聴くためのイヤホン専用のジャックが設けられており、このジャックにケーブル１１０の一端のプラグ１１２を、スピーカー付きアンプ１００の第１のジャック１０３にケーブル１１０の他端のプラグ１１１を、それぞれ差し込む。発明者の実験によると、スピーカー付きアンプ１００にスマートホンを接続すると、大部分の機種については、スピーカー付きアンプ１００は適正に動作するが、一部の機種については、スピーカー付きアンプ１００が動作しないという現象が生じた。
【０００８】
この誤動作の原因を究明するには、スマートホンが内蔵するＩＣの回路構成を確認する必要があるが、その種のＩＣの回路構成は企業秘密であり、一般に公開されないため、誤動作の原因究明が困難であり、全機種のスマートホンに対応できないという問題がある。
【０００９】
この発明は、上記問題に着目してなされたもので、１個のジャックにマイクロフォンとオーディオ機器のいずれもを接続可能とすることにより、筐体の小型化と外部との接続端子部の簡略化を実現し、プラグを差し違えるおそれのないスピーカー付きアンプを提供することを目的とする。
また、この発明が他に目的とするところは、スマートホンの機種を問わず、適正に動作するスピーカー付きアンプを提供することにある。
【課題を解決するための手段】
【００１０】
この発明によるスピーカー付きアンプは、オーディオ機器とマイクロフォンのいずれか一方からの信号を入力して増幅する増幅器と、増幅器の作動に必要な電源を供給する電池と、増幅器による増幅出力を音に変換して出力するスピーカと、オーディオ機器からの信号を入力するための第１のプラグとマイクロフォンからの信号を入力しかつマイクロフォンへ電池より電源を供給するための第２のプラグのいずれかを接続するジャックとを備える。
ジャックは、増幅器に接続される第１端子、電池の負極側に接続される第２端子、および電池の正極側に接続される第３端子を有し、第２端子と第３端子との間に制御回路が設けられる。
制御回路は、ジャックに第２のプラグが差し込まれたとき第２端子と第３端子との間にマイクロフォンへ供給する電圧を生じさせる電源供給回路と、ジャックに第１のプラグが差し込まれたとき第２端子と第３端子との間を短絡する短絡回路とを含む。
【００１１】
上記したスピーカー付きアンプを集音器に用いる場合、ジャックに第２のプラグを差し込んでマイクロフォンを接続する。これにより、スピーカー付きアンプの電池よりマイクロフォンへ電源が供給され、音声信号の出力が可能となる。マイクロフォンからの音声信号の出力は、スピーカー付きアンプに入力されて増幅され、スピーカーより音声が出力される。
【００１２】
より詳しく動作を説明すると、ジャックに第２のプラグを差し込んでマイクロフォンを接続したとき、制御回路の電源供給回路が第２端子と第３端子との間にマイクロフォンへ供給する電圧を生じさせる。これにより、マイクロフォンに電源が供給され、取り込まれた音声が音声信号に変換されて増幅され、ジャックの第１端子よりスピーカー付きアンプに入力される。音声信号は増幅器により増幅され、スピーカより音声が出力される。
【００１３】
ジャックに第１のプラグを差し込んでオーディオ機器、例えばスマートホンを接続すると、スマートホンからのオーディオ信号がスピーカー付きアンプに入力されて増幅され、スピーカーより音が出力される。
【００１４】
より詳しく動作を説明すると、ジャックに第１のプラグを差し込んでスマートホンを接続したとき、制御回路の短絡回路が第２端子と第３端子との間を短絡させる。この短絡によって第２端子と第３端子との間に電圧が生じず、スマートホンの機種を問わず、スピーカー付きアンプが適正に動作する。
スマートホンからのオーディオ信号は第１端子よりスピーカー付きアンプに入力されて、増幅器により増幅され、スピーカーより音が出力される。
【００１５】
ジャックは、好ましくは、３極プラグと４極プラグを差し込むことが可能な構成のものである。
【００１６】
好ましい実施態様においては、増幅器により増幅された信号をイヤホンへ出力するための第３のプラグとヘッドホンへ出力するための第４のプラグのいずれかが差し込まれる第２のジャックをさらに有する。
【００１７】
この実施形態によると、集音器を補聴器として用いるような場合、第２のジャックに第３のプラグを差し込んでイヤホンを接続する。これによりイヤホンから音声が出力される。なお、イヤホンに代えてヘッドホンを用いてもよい。
【００１８】
第２のジャックは、２極プラグと３極プラグと４極プラグを差し込むことが可能な構成のものが望ましい。
【発明の効果】
【００１９】
この発明によれば、１個のジャックにマイクロフォンとオーディオ機器を接続でき、筐体の小型化と外部との接続端子部の簡略化を実現し、プラグを差し違えることがない。また、スマートホンの機種を問わず、適正に動作し、誤動作が生じない。
【図面の簡単な説明】
【００２０】
【図１】スピーカー付きアンプの構成と用法を示す説明図である。
【図２】スピーカー付きアンプにマイクロフォンが接続される状態を示す電気回路図である。
【図３】スピーカー付きアンプにスマートホンが接続される状態を示す電気回路図である。
【図４】電源供給回路の動作を説明するための電気回路図である。
【図５】従来のスピーカー付きアンプの構成と用法を示す説明図である。
【発明を実施するための最良の形態】
【００２１】
図１は、スピーカー付きアンプ１の一実施形態の構成とその用法を示す。図示のスピーカー付きアンプ１は、箱形の筐体１０の片面にスピーカー１４および電池収容部１５が設けられている。筐体１０のひとつの端面には２個のジャック１１，１２と動作表示用のＬＥＤ１３がそれぞれ設けられている。電池収容部１５は、１．５Ｖの乾電池を２個収容することが可能な大きさであり、蓋板１６の開放により電池の出し入れが可能である。
【００２２】
第１のジャック１１は、第１のケーブル２０を介してオーディオ機器２が、第２のケーブル３０を介してマイクロフォン３が、それぞれ接続可能である。第２のジャック１２は、第３のケーブル４０を介してイヤホン４が、第４のケーブル５０を介してヘッドホン５が、それぞれ接続可能である。
【００２３】
第１、第２の各ケーブル２０，３０には第１のジャック１１に抜き差しが可能な３極の第１、第２の各プラグ２１，３１がそれぞれ装着されている。３極のプラグは、図示していないが、先端側がチップ、根元側がスリーブ、中間がリングと呼ばれ、それぞれが絶縁リングにより絶縁されている。なお、第１、第２の各プラグ２１，３１は４極のものであってもよい。
【００２４】
第１のケーブル２０の他端にはオーディオ機器２のジャックに抜き差しが可能な３極のプラグ２２が装着されている。オーディオ機器２にはスマートホンの他、オーディオプレーヤー、ボイスレコーダ、ワンセグテレビ、ポケットラジオなどが含まれる。  
【００２５】
マイクロフォン３は、合成樹脂製のケース３４の内部に、図２の電気回路図に示されているコンデンサマイク３２および増幅回路６が実装されたプリント基板が組み込まれたものである。増幅回路６には感度調整用の可変抵抗器ＶＲが含まれており、ケース３４の上面に、可変抵抗器ＶＲの抵抗値を外部操作により変更することが可能なつまみ３５が設けられている。つまみ３５は、円盤状であって、中心部が回動可能に軸支されている。図中、３６は音声などを取り込むための集音口である。また、図示していないが、ケース３４の背面側にはマイクロフォン３を胸元などの適所に装着するためのクリップが設けられている。
【００２６】
第３のケーブル４０はイヤホン４につながっている。第３のケーブル４０の先端にはスピーカー付きアンプ１の第２のジャック１２に抜き差しが可能な第３のプラグ４１が装着されている。第４のケーブル５０はヘッドホン５につながっている。第４のケーブル５０の先端にはスピーカー付きアンプ１の第２のジャック１２に抜き差しが可能な第４のプラグ５１が装着されている。第３、第４の各プラグ４１，５１は２極、３極、４極のいずれであってもよい。
【００２７】
図２は、スピーカー付きアンプ１にマイクロフォン３を接続するときの回路構成を示す。また、図３は、スピーカー付きアンプ１にオーディオ機器２としてのスマートホンを接続するときの回路構成を示す。図２には、マイクロフォン３に組み込まれた増幅回路６の構成が示されている。図２および図３には、スピーカー付きアンプ１が内蔵する回路の構成が示されている。
【００２８】
図２および図３において、第１のジャック１１は、３極の第１、第２の各プラグ２１，３１のチップ、スリーブ、リングと導通する第１〜第３の各端子１Ｌ，１Ｒ，１Ｅを含み、さらに、４極のプラグの第２のリングと接触する第４の端子１Ｍを含んでいる。
スピーカー付きアンプ１が内蔵する回路は、第１のジャック１１の第１端子１Ｌに低周波除去回路７０を介して接続される増幅器７と、増幅器７の作動に必要な電源を供給するための電池７１と、第１のジャック１１の第２端子１Ｒと第３端子１Ｅとの間に設けられる制御回路８とを含んでいる。増幅器７は、オーディオ機器２からの一方のオーディオ信号ｉＬおよびマイクロフォン３からの音声信号ｋを増幅するためのものであり、具体的な回路構成は公知であるから、ここでは図示を省略している。
【００２９】
低周波除去回路７０は、マイクロフォン３およびオーディオ機器２から入力された信号の低周波成分が増幅器７に取り込まれるのを規制してハウリングの発生を防止するためのものであり、２個のトランジスタＴＲ４，ＴＲ５と３個のカップリングコンデンサＣ６，Ｃ７，Ｃ８とを含む。各トランジスタＴＲ４，ＴＲ５のベースに接続される抵抗Ｒ２，Ｒ３は、可聴周波数２０〜３００Ｈｚの信号成分を減衰させ、その低周波成分に起因するハウリングの発生を抑制する。抵抗Ｒ２はトランジスタＴＲ４の入力信号をアース側へ減衰させる。抵抗Ｒ３はトランジスタＴＲ５の入力信号とコレクタ信号出力とを同期させて減衰させる。
【００３０】
図２において、第１のジャック１１には、マイクロフォン３につながる第２のケーブル３０に装着された第２のプラグ３１の抜き差しが可能になっている。第２のケーブル３は、マイクロフォン３より音声信号ｋをスピーカー付きアンプ１の増幅器７へ送るための第１の信号線３０Ｌと、スピーカー付きアンプ１の電池７１よりマイクロフォン３の増幅回路６へ電源を供給するための第２の信号線３０Ｒと、アース線３０Ｅとを含む。マイクロフォン３の増幅回路６は、第２の信号線３０Ｒを介してスピーカー付きアンプ１より電源の供給を受けて作動し、その増幅出力である音声信号ｋを第１の信号線３０Ｌを介してスピーカー付きアンプ１へ送る。なお、音声信号ｋは、人の声、周囲の音などが電気信号に変換されかつ増幅回路６により増幅されたものである。
【００３１】
マイクロフォン３に用いられるコンデンサマイク３２は、音の強弱により容量が変化する。抵抗Ｒ１によりコンデンサマイク３２に電圧がかけられると、コンデンサマイク３２の容量変化が電圧の変化としてコンデンサＣ１を介して取り出され、音声信号ｋとなる。ＴＲ１〜ＴＲ３は増幅用のトランジスタであり、つまみ３５を回すことで可変抵抗器ＶＲの大きさが変化し、これによりトランジスタＴＲ２の増幅率が変化して感度が調整される。可変抵抗器ＶＲの抵抗値を小さくすると、感度が上がり、大きな音声信号ｋが取り出せる。可変抵抗器ＶＲの抵抗値を大きくすると、感度が下がり、音声信号ｋは小さくなる。図中、Ｃ１〜Ｃ５はカップリングコンデンサであり、直流分を阻止し交流成分のみを通過させる。なお、マイクロフォン３の増幅回路６は一般に公知であり、ここでは回路構成および動作についての詳細な説明を省略する。
【００３２】
図３において、第１のジャック１１には、オーディオ機器２につながる第１のケーブル２０の先端に装着された第１のプラグ２１の抜き差しが可能になっている。第１のケーブル２０は、オーディオ機器２よりオーディオ信号ｉＬ，ｉＲをスピーカー付きアンプ１へ送るための第１、第２の信号線２０Ｌ，２０Ｒとアース線２０Ｅとを含む。一方のオーディオ信号ｉＬは、第１端子１Ｌよりスピーカー付きアンプ１に入力され、低周波除去回路７０を経て増幅器７へ送られて増幅されるとともに、制御回路８の後述するトランジスタＴＲ８に制御信号として与えられる。
【００３３】
増幅器７は、オーディオ信号ｉＬを増幅して得られたモノラル信号ｉを第２のジャック１２とスピーカー１４へ出力する。モノラル信号ｉは第２のジャック１２の第２端子２Ｌへ送られるとともに、コンデンサＣ９を介して第１端子２Ｒへ送られる。これにより、第２のジャック１２にステレオ用のイヤホンまたはヘッドホンが接続されたとき、左右からモノラル音を聴取できる。
なお、イヤホン４につながる第３のケーブル４０に装着される第３のプラグ４１やヘッドホン５につながる第４のケーブルに装着される第４のプラグ５１は、２極、３極、４極のいずれのプラグであってもよい。
【００３４】
図２および図３において、制御回路８は、第１のジャック１１にマイクロフォン３につながる第２のケーブル３０の第２のプラグ３１が差し込まれたとき、第２端子１Ｒと第３端子１Ｅとの間にマイクロフォン３へ供給する電源を生じさせる電源供給回路８０と、第２のジャック１１にオーディオ機器２につながる第１のケーブル２０の第１のプラグ２１が差し込まれたとき、第２端子１Ｒと第３端子１Ｅとの間を短絡する短絡回路９とを含む。
【００３５】
電源供給回路８０は、２個のトランジスタＴＲ６，ＴＲ７と抵抗Ｒｘ，Ｒ４，Ｒ５とを含む。この実施形態では、第１のジャック１１の第３端子１Ｅと電源７１の正極とを結ぶ電源ライン７３にトランジスタＴＲ６および抵抗Ｒｘが介装され、また、第１のジャック１１の第２端子１Ｒと電源７１の負極とを結ぶアースライン７２にトランジスタＴＲ７が介装されている。また、第２端子１Ｒは、トランジスタＴＲ６のベースに接続された抵抗Ｒ４とトランジスタＴＲ７のベースに接続された抵抗Ｒ５とにそれぞれ接続されている。図中、アースライン７２は太線で表してある。
【００３６】
短絡回路９は、１個のトランジスタＴＲ８と抵抗６とを含む。この実施形態では、トランジスタＴＲ８は電源ライン７３とアースライン７２との間に設けられ、トランジスタＴＲ８のベースは抵抗Ｒ６を介して第１のジャック１１の第１端子１Ｌに接続されている。
【００３７】
上記したスピーカー付きアンプ１を集音器に用いる場合、図２に示すように、第１のジャック１１に第２のケーブル３０および第２のプラグ３１を介してマイクロフォン３を接続する。これにより、スピーカー付きアンプ１の電池７１（図示例では３Ｖ）よりマイクロフォン３へ電源が供給され、音声信号ｋの増幅および出力が可能となる。マイクロフォン３からの音声信号ｋは、スピーカー付きアンプ１に入力されて増幅器７により増幅され、スピーカー１４より音が出力される。
【００３８】
スピーカー付きアンプ１を補聴器に用いる場合は、第２のジャック１２に第３のケーブル４０および第４のプラグ４１を介してイヤホン４を接続する。これにより、マイクロフォン３からの音声信号ｋは、スピーカー付きアンプ１に入力されて増幅器７により増幅され、イヤホン４０より音が出力される。
なお、第２のジャック１２に第４のケーブル５０および第４のプラグ５１を介してヘッドホン５を接続することもでき、この場合は、ヘッドホン５から音が出力される。
【００３９】
スピーカー付きアンプ１にマイクロフォン３を接続したときの図２の回路動作をさらに詳しく説明する。マイクロフォン３が接続される前の状態では、制御回路８における３個のトランジスタＴＲ６〜ＴＲ８はいずれもオフの状態にある。スピーカー付きアンプ１の第１のジャック１１に第２のケーブル３０の第２のプラグ３１を差し込んでマイクロフォン３を接続すると、電源供給回路８０を構成するトランジスタＴＲ６は抵抗Ｒ４にベース電流が流れてオンとなり、さらにトランジスタＴＲ７は抵抗Ｒ５にベース電流が流れてオンとなる。これにより、電源供給回路８０は、第１のジャック１１の第２端子２Ｒと第３端子２Ｅとの間に、マイクロフォンの出力インピーダンスに応じた電圧Ｖを生じさせる。
【００４０】
図４に示すように、例えば、抵抗Ｒｘが１２０Ω、マイクロフォンの出力インピーダンスＲｚが９００Ωである場合において、その両端にかかる電圧はトランジスタＴＲ６の内部抵抗のドロップ分を差し引いた値（図示例では２．５Ｖ）となるので、出力インピーダンスＲｚに応じた電圧Ｖは約１．８Ｖとなる。この電圧Ｖによってマイクロフォン３に電源が供給され、コンデンサマイク３２より取り込まれた音声が音声信号ｋに変換されて増幅回路６により増幅され、第１のジャック１１の第１端子１Ｌよりスピーカー付きアンプ１に入力される。音声信号ｋは低周波除去回路７０を経て増幅器７に入力されて増幅され、スピーカ１４、イヤホン４、ヘッドホン５より音が出力される。なお、短絡回路９を構成するトランジスタＴＲ８は、第１端子Ｌ１に入力される音声信号ｋの信号レベルが小さく、抵抗Ｒ６を流れるベース電流が過小となるため動作せず、オフ状態である。
【００４１】
図３に示すように、スピーカー付きアンプ１の第１のジャック１１に第１のケーブル２０および第２のプラグ２１を介してオーディオ機器２としてのスマートホンを接続すると、オーディオ機器２からのオーディオ信号ｉＬがスピーカー付きアンプ１に入力されて増幅され、スピーカー１４、イヤホン４、ヘッドホン５から音が出力される。
【００４２】
スピーカー付きアンプ１にオーディオ機器２としてのスマートホンを接続したときの図３の回路動作をさらに詳しく説明する。第１のジャック１１に第１のケーブル２０および第１のプラグ２１を介してスマートホンを接続すると、スマートホンの出力インピーダンスＲｚが０．６Ωである場合において、第１のジャック１１の第２端子２Ｒと第３端子２Ｅとの間の電圧Ｖは、０．０１２４Ｖである。短絡回路９を構成するトランジスタＴＲ８は、電圧Ｖが低電圧であっても、第１端子Ｌ１に入力されるオーディオ信号ｉＬの信号レベルが大きいので、抵抗Ｒ６を流れるベース電流が大きくオンとなり、第２端子１Ｒと第３端子１Ｅとの間が短絡する。この短絡によってスマートホンの機種を問わず、スマートホンの誤動作が防止される。
【００４３】
第１のケーブル２０の第１の信号線２０Ｌが第２のジャック１１の第１端子１Ｌに、第２の信号線２０Ｒが第２端子１Ｒに、アース線２０Ｅが第３端子１Ｅに、それぞれ接続されるもので、オーディオ機器２からのオーディオ信号ｉＬは第１端子１Ｌよりスピーカー付きアンプ１に入力される。オーディオ信号ｉＬは増幅器７により増幅され、増幅器７からスピーカー１４、イヤホン４、ヘッドホン５に対してモノラル信号ｉが出力される。
【符号の説明】
【００４４】
１    スピーカー付きアンプ
２    オーディオ機器
３    マイクロフォン
４    イヤホン
５    ヘッドホン
６    増幅回路
７    増幅器
８    制御回路
９    短絡回路
１０  第１のジャック
２１  第１のプラグ
３１  第２のプラグ
７１  電池
８０  電源供給回路
１Ｌ  第１端子
１Ｒ  第２端子
１Ｅ  第３端子
【図１】
2020017785.tif 000003
【図２】
2020017785.tif 000004
【図３】
2020017785.tif 000005
【図４】
2020017785.tif 000006
【図５】
2020017785.tif 000007